(57)【要約】【課題】洗浄、収納等の取り扱いにおいて、簡便でありかつ分割収容のため収容スペース少なくし、飲料缶、コップなどの底部がテーブルなどの上面に直接に当接することなく安定して載置保持し、飲料缶、コップなどを滑らせず動揺や転倒を防止して安全に定置させるＷリングコースタを提供する。【解決手段】コップ等の下部を載置支持するコースタにおいて、コップ等の下部を載置する敷きパッドを着脱可能に底部リング内に収容し、中央部にコップ等の中間部の周囲を囲む上部リングを有し、底部リングと上部リングは一端を開放し他端を支持スタンドアームの上下端に連結し互いに反対方向に巻いたことを特徴とするＷリングコースタ。【選択図】    図１
0003156430.tif 000002
【実用新案登録請求の範囲】
【請求項１】
コップ等の下部を載置支持するコースタにおいて、コップ等の下部を載置する敷きパッドを着脱可能に底部リング内に装着し、中央部にコップ等の中間部の周囲を囲む上部リングを有し、底部リングと上部リングは一端を開放し他端を支持スタンドアームの上下端に連結し互いに反対方向に巻いたことを特徴とするＷリングコースタ。
【考案の詳細な説明】
【技術分野】
【０００１】
本考案は、主に飲料用のコップやビン等を滑らせず動揺や転倒を防止して安全に定置させるＷリングコースタに関するものである。
【背景技術】
【０００２】
飲料用のコップやビン用の従来のコースタとしては、平型が主で、例えば、
特許文献１  （特開2005-263249号公報）では、図９に示すように、紙コップ、プラスチックコップ等の使い捨て簡易容器は、中身が空か少量の時、風やテーブル等のぐらつきによっての転倒を防止できるコースタを紹介し、
特許文献２（実開平7-23460号公報）では、コースタの上面に自己粘着性を有する軟質合成樹脂よりなる湯飲み茶碗受け部を埋め込むようにした転倒防止コースタを紹介し、特許文献３（実開平6-19645 号公報）では、受け皿の中央部に滑りと動揺による容器脱落防止用の円形輪状の障壁を一体的に成型してなる陶製コースタを紹介し、特許文献４（特開2000-342424号公報）では図１０に示すように、合成樹脂又はゴムあるいはエラストマーからなり、板状に形成された本体２の上面２Ａの外周側に他の表面よりも上方に突出したせき止め部３を備えさせ、かつ、せき止め部３よりも内側の特定箇所に容器Ｃを受ける複数の突起部４を備えさせ、本体２の底面２Ｂの吸着力により載置面Ｓに固定及び固定解除自在に構成した吸着式のコースタ紹介している。
また、特許文献５（実開平4-54277号公報）では、底部の着脱用の磁石を取り付けた食器や飲料容器を載置する大きさのコースタで、その適所に鉄製の薄片を取り付け、容器の底部の磁石にジョイント可能にしたコースタセットを紹介している。
その他、一体もので特許文献６（特開平7-16139号公報）では、図１１に示すセラミックス製等の材質改善、特許文献７（特開平7-47026号公報）では、図１２に示す等の等の形状改良、特許文献８（特開平7-313321号公報）では図１３に示し、特許文献９（特開平9-294665号公報）では図１４に示す等のLED採用の光装飾用として付加価値を高めた高価な改良特許等は多種多様に存在する。
しかしながら、これらいずれのものも飲料用のコップやビン等を置いても滑りやすく動揺や転倒して内部液をこぼし、テーブルなどを汚損し、また容器を破損するなど安全上の問題がある。
そこで、近年コップやビン等の底部を囲撓する筒型が登場し、特許文献１０（特開2006-314739号公報）では、図１５に示すように、コップを設置する円筒部１と転倒を防ぐため広い面積でできた底面部３を一体的に成型してなるコップコースタを紹介している。
また、リング型として、特許文献１１（特開2006-130263号公報）では、図１６に示すように、細い一本の金属、あるいは樹脂製の線材によって上がり支持部３の上下端から同一方向に巻いた底部リング１と上部リング２を形成したコップホルダーを紹介し、特許文献１２（特開2006-320680号公報）では、図１７に示すように、コイル状のバネで円錐形を形成した伸縮自在のコップコースタを紹介している。
筒型は、一体形成のため、洗浄、収納等の取り扱いにおいて、煩雑でありかつそのままの収容のため多くの収容スペースを必要とする等の問題がある。
リング型やコイル状のバネ型では、横荷重に不安定であり、且つコップ底部がテーブルなどの上面に直接と当接するため安定性に欠ける。
また、上記リング型は底部リング１と上部リング２が同一方向に巻いてあるため取り扱い中に底部リング１と上部リング２の開放端側が近接変形しコップ支持状態が不安定になり好ましくない。
【特許文献１】特開2005-263249号公報
【特許文献２】実開平7-23460号公報
【特許文献３】実開平6-19645 号公報
【特許文献４】特開2000-342424号公報
【特許文献５】実開平4-54277号公報
【特許文献６】特開平7-16139号公報
【特許文献７】特開平7-47026号公報
【特許文献８】特開平7-313321号公報
【特許文献９】特開平9-294665号公報
【特許文献１０】特開2006-314739号公報
【特許文献１１】特開2006-130263号公報
【特許文献１２】特開2006-320680号公報
【考案の開示】
【考案が解決しようとする課題】
【０００３】
本考案は、洗浄、収納等の取り扱いにおいて、簡便でありかつ分割収容のため収容スペース少なくし、飲料缶、コップなどの底部がテーブルなどの上面に直接に当接することなく安定して載置保持し、飲料缶、コップなどを滑らせず動揺や転倒を防止して安全に定置させるＷリングコースタを提供する事にある。
【課題を解決するための手段】
【０００４】
本考案は上記課題を満足するＷリングコースタでありその特徴とするところは、次の(1)のとおりである。
(1)、コップ等の下部を載置支持するコースタにおいて、コップ等の下部を載置する敷きパッドを着脱可能に底部リング内に装着し、中央部にコップ等の中間部の周囲を囲む上部リングを有し、底部リングと上部リングは一端を開放し他端を支持スタンドアームの上下端に連結し互いに反対方向に巻いたことを特徴とするＷリングコースタ。
【考案の効果】
【０００５】
本考案のＷリングコースタは、コップ、ボトル、ビンなどの底部が底部リング内に収容した敷きパッドの上面に直接当接して安定し、底部リングと上部リングが間接保持するため安全で安心である。
また、底部リングと上部リングは一端を開放し他端を支持スタンドアームの上下端に連結し互いに反対方向に巻いたことにより強度バランスが良く変形し難くコップや瓶等の支持状態が安定する。
更に支持スタンドアームの長さを任意に変更することにより短尺から長尺のコップや瓶等を安定して載置することができる等の優れた効果を呈するものである。
【考案を実施するための最良の形態】
【０００６】
本考案を実施するための最良の形態を以下の実施例により詳細に説明する。
而して、本考案において、底部リングと上部リングは、円形、楕円形、多角形などの同一又は異なる平面形状にする。
また、底部リングと上部リング及び支持スタンドアームは一体物あるいは分割連結物、更には折畳み物にし、その材質等は、透明樹脂材、不透明樹脂材、弾性金属材など用途に応じて或いは収容や洗浄等の手段に応じて任意に選択する。
支持スタンドアームはその長さを用途に応じて任意に変更することにより短尺から長尺のコップや瓶等を安定して載置することができる等の優れた効果を呈するものである。例えば二重パイプのスライド式にして兼用タイプにしても良い。支持スタンドアームは中央部でカム式等の強締軸で連結して上部リングを半回転させて底部リングの直上に折り畳むようにしても良い。
底部リング内に装着する敷きパッドは、コップや缶、瓶などの底部を載置可能な形状や色彩にデザインにして、スポンジやフェルト等のクッション材で成形する。
敷きパッドと底部リングとの着脱手段は、敷きパッド及び又は底部リングに支持部材を設けるものでよく、また底部リング内に弾性変形させて簡単に嵌める程度の関係にするなどその他適宜な公知の着脱手段を適用すればよい。例えば敷きパッドの周縁部に挿通穴を形成する耳部を複数個設け、この各耳部に底部リングの開放端部を順次挿入して底部リング内に敷きパッドを導入セットする。また敷きパッドの直径を底部リングの内径より微小に大きくし、取り外し自在に嵌める。或いは底部リングの内周縁に支持突起やを複数個設置し、これで敷きパッドの下面周縁を取り外し自在に支持する。また底部リングに網やクロス配線を設置し、これの上に敷きパッドの下面を取り外し自在に支持する。
また底部リングは図８に示すように平行に離間した二重にして、その間に敷きパッドを挿入セットするようにした簡単支持構造にしてもよい。
【実施例１】
【０００７】
図１と図２において、Ｗリングコースタは、コップ等の下部を載置支持するコースタであり、一本の金属線で、底部リング20と支持スタンドアーム40と上部リング30を形成し、底部リング20と上部リング30は互いに反対方向に巻いて一端（開放端部）20a、30aを開放する。
底部リング20は、上部リング30より小さくし、コップ等の下部を載置する敷きパッド10を着脱可能に収容する。上部リング30は、コップ等の中間部の周囲を離間して囲み支持する。  
敷きパッド10は、弾性スポンジ材にし、底部リング20の内径より若干小さく、その周縁部に挿通穴を形成する耳部10Aを複数個設け、この各耳部10A1から10A4に底部リング20の一端（開放端部）20aを順次挿入して底部リング内に敷きパッドを図１に示すように導入セットする。
【実施例２】
【０００８】
実施例１は、図３と図４に示す。
図１と図２において、Ｗリングコースタは、コップ等の下部を載置支持するコースタであり、一本の金属線で、底部リング20と支持スタンドアーム40と上部リング30を形成し、底部リング20と上部リング30は互いに反対方向に巻いて一端（開放端部）20a、30aを開放する。
底部リング20は、上部リング30より小さくし、コップ等の下部を載置する敷きパッド10を着脱可能に収容する。上部リング30は、コップ等の中間部の周囲を離間して囲み支持する。  
敷きパッド10は、弾性スポンジ材にし、底部リング20の内径より若干大として底部リング20の内径に着脱可能に収容する。
【実施例３】
【０００９】
実施例２は、図５と図６に示す。
本例のＷリングコースタは、コップ等の下部を載置支持するコースタであり、一本の金属線で、底部リング20と支持スタンドアーム40と上部リング30を形成し、底部リング20と上部リング30は互いに反対方向に巻いて一端20a、30aを開放する。
底部リング20は、上部リング30より小さくし、コップ等の下部を載置する敷きパッド10を着脱可能に収容する。上部リング30は、コップ等の中間部の周囲を離間して囲み支持する。  
敷きパッド10は、弾性スポンジ材にし、底部リング20の内径部に渡し固定した金属製のクロス支持線20Ａにより下面を着脱自由に支持したものである。
【００１０】
各実施例のＷリングコースタは、上記各構成により、テーブルなどの表面が悪い状況であっても、底部リング20と上部リング30がバランス良く支えとなって飲料缶、コップ等の容器を安定して載置保持するから、前後左右あらゆる角度から力を受けても、不安定にならず飲料缶、コップ等が倒れない。
また、テーブル上にシートなどを敷いて利用するときシートの変動による振動や揺れにたいして、敷きパッド10を収容した底部リング20が滑ったり、倒れたりすることもないから安心して飲食をすることができる信頼性の絶大なものである。
しかも敷きパッド10と底部リング20を分離可能にしたため、その各々を簡便に洗うことができる。更に収納する場合も、それぞれ別個に纏めて収納することができる。また別々に収納場所も自由に選ぶことができ極めて便利である。
さらに、別々に持ち歩くことができて、携帯として利用することもできる。
下の机等と接着することもないのでどこでも好きな所に置いて利用することができる。
【実施例４】
【００１１】
図７の実施例４は、図１示す例の変形例であるが支持スタンドアーム40は、その長さを長尺にしたものであり、長尺の瓶やペットボトル等を安定して載置することができる。
この際、支持スタンドアーム40は、単に一体の長尺にするか、或いは中央部にカム式等の強締軸40Aで連結した分割タイプにして上部リングを半回転させて底部リングの直上に折り畳むようにしても良い。
【実施例５】
【００１２】
図８−１と図８−２の実施例５は、図１示す例の変形例であるが、底部リングは図８に示すように平行に離間した20-1と20-2の二重にして、その間に敷きパッド10を挿入セットするようにした簡単支持構造である。
【産業上の利用可能性】
【００１３】
本考案のコースタは、飲料缶、コップなどの底部がテーブルなどの上面に直接に当接することなく安定して載置保持し、飲料缶、コップなどを滑らせず動揺や転倒を防止して安全に定置させると共に、前記の如く、洗浄、収納等の取り扱いにおいて、簡便でありかつ分割収容のため収容スペースを少なくする等の優れた効果を呈するものであり、飲食店や一般家庭、職場食堂等の飲食産業に多大な貢献をすることができるものである。
【図面の簡単な説明】
【００１４】
【図１】実施例１のＷリングコースタを示す斜視説明図である。
【図２】図１のＷリングコースタの分解状態を示す斜視説明図である。
【図３】実施例２のＷリングコースタを示す斜視説明図である。
【図４】図３のＷリングコースタの分解状態を示す斜視説明図である。
【図５】実施例３のＷリングコースタを示す斜視説明図である。
【図６】図５のＷリングコースタの分解状態を示す斜視説明図である。
【図７】実施例４の長尺瓶やペットボトル用のＷリングコースタを示す斜視説明図である。
【図８−１】実施例５のＷリングコースタを示す斜視説明図である。
【図８−２】実施例５のＷリングコースタの分解状態を示す斜視説明図である。
【図９】特開2005-263249号公報に記載のコースタを示す斜視図である。
【図１０】特開2000-342424号公報に記載のコースタを示す斜視図である。
【図１１】特開平7-16139号公報に記載のコースタを示す斜視図である。
【図１２】特開平7-47026号公報に記載のコースタを示す斜視図である。
【図１３】特開平7-313321号公報に記載のコースタを示す断面図である。
【図１４】特開平9-294665号公報に記載のコースタを示す斜視図である。
【図１５】特開2006-314739号公報に記載のコースタを示す斜視図である。
【図１６】特開2006-130263号公報に記載のコースタを示す斜視図である。
【図１７】特開2006-320680号公報に記載のコースタを示す側面図である。
【符号の説明】
【００１５】
10    敷きパッド
10A1〜10A4    耳部
20    底部リング
20a、30a  一端  
20Ａ  クロス支持線
30    上部リング
40    支持スタンドアーム
40A   強締軸
【図８−１】
0003156430.tif 000003
【図１】
0003156430.tif 000004
【図２】
0003156430.tif 000005
【図３】
0003156430.tif 000006
【図４】
0003156430.tif 000007
【図５】
0003156430.tif 000008
【図６】
0003156430.tif 000009
【図７】
0003156430.tif 000010
【図８−２】
0003156430.tif 000011
【図９】
0003156430.tif 000012
【図１０】
0003156430.tif 000013
【図１１】
0003156430.tif 000014
【図１２】
0003156430.tif 000015
【図１３】
0003156430.tif 000016
【図１４】
0003156430.tif 000017
【図１５】
0003156430.tif 000018
【図１６】
0003156430.tif 000019
【図１７】
0003156430.tif 000020